(57)【要約】【課題】スペースに余裕がない遊技場などの公共スペースであっても、喫煙できるスペースをコンパクトに設定できる喫煙ボックスユニット及びそれを用いた喫煙ボックスを提供する。【解決手段】喫煙ボックスユニット１０であって、枠体１１と、枠体１１の前面上部に設けられ、空気を吸い込む吸込み部１２と、枠体１１の内部に設けられ、吸込み部１２から流入した空気を濾過するフィルタ１３と、枠体１１の天面に設けられ、濾過された空気をファン１４を用いて外部へ吐き出す吐出し部１５と、ファン１４を制御する制御部１６と、枠体１１の前面中部に設けられた灰皿１７と、枠体１１の内部で灰皿１７の下方に設けられ、灰皿１７に捨てられた吸殻を回収する回収部１８と、を備える。【選択図】図３
2018141562.tif 000002
【特許請求の範囲】
【請求項１】
枠体と、
前記枠体の前面上部に設けられ、空気を吸い込む吸込み部と、
前記枠体の内部に設けられ、前記吸込み部から流入した空気を濾過するフィルタと、
前記枠体の天面に設けられ、濾過された空気をファンを用いて外部へ吐き出す吐出し部と、
前記ファンを制御する制御部と、
を備えることを特徴とする喫煙ボックスユニット。
【請求項２】
さらに、前記枠体の前面中部に設けられた灰皿と、前記枠体の内部で前記灰皿の下方に設けられ、前記灰皿に捨てられた吸殻を回収する回収部と、を備えることを特徴とする請求項１に記載の喫煙ボックスユニット。
【請求項３】
前記フィルタが、粗粒子を除去する第１フィルタと、煙草の匂いを除去する第２フィルタと、煙草の煙成分を除去する第３フィルタと、を含むことを特徴とする請求項１又は２に記載の喫煙ボックスユニット。
【請求項４】
前記灰皿が空気遮断弁を有し、煙草の吸殻の自動消火を行うことを特徴とする請求項１から３のいずれか１項に記載の喫煙ボックスユニット。
【請求項５】
さらに、人感センサを有し、前記制御部が、前記人感センサからの信号に基づき、前記ファン及び／又は前記枠体の任意の位置に設けられた照明を制御することを特徴とする請求項１から４のいずれか１項に記載の喫煙ボックスユニット。
【請求項６】
さらに、前記枠体の前面にモニタを備えることを特徴とする請求項１から５のいずれか１項に記載の喫煙ボックスユニット。
【請求項７】
前記モニタが遊技場の遊技台に関する情報を表示することを特徴とする請求項６に記載の喫煙ボックスユニット。
【請求項８】
前記枠体が、その背面に取付板を有し、前記取付板が遊技場の壁、遊技島又は膳板に取り付けるための穴を有していることを特徴とする請求項１から７のいずれか１項に記載の喫煙ボックスユニット。
【請求項９】
請求項１から８のいずれか１項に記載の喫煙ボックスユニットと、前記喫煙ボックスユニットを囲うケースとを備えることを特徴とする喫煙ボックス。
【請求項１０】
前記ケースが、７０％以上の開放率の天井を有することを特徴とする請求項９に記載の喫煙ボックス。
【請求項１１】
前記喫煙ボックスユニット又は前記ケースが、その上部に前記ケースの内部の空気を吸い込む還流ファンと、前記還流ファンに吸い込まれた空気を前記吸込み部まで還流させるダクトとをさらに備えることを特徴とする請求項１０に記載の喫煙ボックス。
【請求項１２】
前記喫煙ボックスユニットが、その上部に前記ケースの外部の空気を前記ケースの前記天井に向けて吹き出してエアカーテンを形成する吹出しファンをさらに備えることを特徴とする請求項１０に記載の喫煙ボックス。
【請求項１３】
前記ケースが、その側面に開放部を有することを特徴とする請求項９に記載の喫煙ボックス。
【請求項１４】
前記喫煙ボックスユニットが、その側部に前記ケースの内部の空気を吸い込む還流ファンと、前記還流ファンに吸い込まれた空気を前記吸込み部まで還流させるダクトとをさらに備えることを特徴とする請求項１３に記載の喫煙ボックス。
【請求項１５】
前記喫煙ボックスユニットが、その側部に前記ケースの外部の空気を前記ケースの前記側面に向けて吹き出してエアカーテンを形成する吹出しファンをさらに備えることを特徴とする請求項１３に記載の喫煙ボックス。
【発明の詳細な説明】
【技術分野】
【０００１】
本発明は、喫煙ボックスユニット及びそれを用いた喫煙ボックスに関する。
【背景技術】
【０００２】
近年、公共スペースにおける分煙が進められている。これは、喫煙者と禁煙者が混在することにより、喫煙者が禁煙者に気兼ねして煙草を吸えなかったり、逆に、禁煙者が喫煙者からの受動喫煙を忌避したりするなどの問題を回避するためである。例えば、パチンコやパチスロ等が設置された遊技場では、遊技台同士の間に分煙ボードを配置したり、遊技台そのものや台間機に排煙機能を付与したり、喫煙者遊技スペースと禁煙者遊技スペースを完全分離したりするなどの対策が採られている。一方、オフィスなどでは、全スペースを禁煙としたうえで、喫煙者のための喫煙ボックス・喫煙室を設置することも行われている（例えば、特許文献１参照）。
【０００３】
特許文献１では、非喫煙空間内に周囲を壁部に取り囲まれた喫煙空間（喫煙ボックス）を設け、その喫煙空間に空気清浄機を設けて内部の空気を処理し、処理した空気の一部は喫煙空間の外部へ排気するとともに、処理空気の残りの部分は排気せずに循環用空気通路を通して循環させ、壁部には空気流入口が形成され、非喫煙空間から新鮮な空気を流入させ、空気流入口における流入空気の速度は、循環用空気通路における循環空気の速度よりも速くされている技術が開示されている。
【０００４】
しかしながら、特許文献１の喫煙ボックスは余裕のある大きな全体スペースの中に設けられる態様が開示されており、非喫煙空間（公共スペース）にあまり余裕がない場合には、このような喫煙ボックスの設置は困難であるという問題があった。
【先行技術文献】
【特許文献】
【０００５】
【特許文献１】特開２００７−２４３７２号公報
【発明の概要】
【発明が解決しようとする課題】
【０００６】
本発明は、上記のような事情に鑑みなされたものであり、スペースに余裕がない遊技場などの公共スペースであっても、喫煙できるスペースをコンパクトに設定できる喫煙ボックスユニット及びそれを用いた喫煙ボックスを提供することを目的とする。
【課題を解決するための手段】
【０００７】
上記課題を解決するため、（１）本発明に係る第１の観点は、枠体と、前記枠体の前面上部に設けられ、空気を吸い込む吸込み部と、前記枠体の内部に設けられ、前記吸込み部から流入した空気を濾過するフィルタと、前記枠体の天面に設けられ、濾過された空気をファンを用いて外部へ吐き出す吐出し部と、前記ファンを制御する制御部と、前記枠体の前面中部に設けられた灰皿と、前記枠体の内部で前記灰皿の下方に設けられ、前記灰皿に捨てられた吸殻を回収する回収部と、を備えることを特徴とする。
【０００８】
（２）上記（１）の構成において、さらに、前記枠体の前面中部に設けられた灰皿と、前記枠体の内部で前記灰皿の下方に設けられ、前記灰皿に捨てられた吸殻を回収する回収部と、を備える。
【０００９】
（３）上記（１）又は（２）の構成において、前記フィルタは、粗粒子を除去する第１フィルタと、煙草の匂いを除去する第２フィルタと、煙草の煙成分を除去する第３フィルタと、を含む。
【００１０】
（４）上記（１）から（３）いずれか１つの構成において、前記灰皿は、空気遮断弁を有し、煙草の吸殻の自動消火を行う。
【００１１】
（５）上記（１）から（４）のいずれか１つの構成において、さらに、人感センサを有し、前記制御部は、前記人感センサからの信号に基づき、前記ファン及び／又は前記枠体の任意の位置に設けられた照明を制御する。
【００１２】
（６）上記（１）から（５）のいずれか１つの構成において、さらに、前記枠体の前面にモニタを備える。
【００１３】
（７）上記（６）の構成において、前記モニタが遊技場の遊技台に関する情報を表示する。
【００１４】
（８）上記（１）から（７）のいずれか１つの構成において、前記枠体は、その背面に取付板を有し、前記取付板が遊技場の壁、遊技島又は遊技台膳板に取り付けるための穴を有する。
【００１５】
（９）本発明に係る第２の観点は、喫煙ボックスであって、上記（１）から（８）のいずれか１つに記載の喫煙ボックスユニットと、前記喫煙ボックスユニットを囲うケースとを備える。
【００１６】
（１０）上記（９）の構成において、前記ケースが、７０％以上の開放率の天井を有する。
【００１７】
（１１）上記（１０）の構成において、前記喫煙ボックスユニット又は前記ケースが、その上部に前記ケースの内部の空気を吸い込む還流ファンと、前記還流ファンに吸い込まれた空気を前記吸込み部まで還流させるダクトとをさらに備える。
【００１８】
（１２）上記（１０）の構成において、前記喫煙ボックスユニットが、その上部に前記ケースの外部の空気を前記ケースの前記天井に向けて吹き出してエアカーテンを形成する吹出しファンをさらに備える。
【００１９】
（１３）上記（９）の構成において、前記ケースが、その側面に開放部を有する。
【００２０】
（１４）上記（１３）の構成において、前記喫煙ボックスユニットが、その側部に前記ケースの内部の空気を吸い込む還流ファンと、前記還流ファンに吸い込まれた空気を前記吸込み部まで還流させるダクトとをさらに備える。
【００２１】
（１５）上記（１３）の構成において、前記喫煙ボックスユニットが、その側部に前記ケースの外部の空気を前記ケースの前記側面に向けて吹き出してエアカーテンを形成する吹出しファンをさらに備える。
【発明の効果】
【００２２】
本発明によれば、スペースに余裕がない遊技場などの公共スペースであっても、喫煙できるスペースをコンパクトに設定できる喫煙ボックスユニット及びそれを用いた喫煙ボックスを提供することができる。
【図面の簡単な説明】
【００２３】
【図１】本発明の実施形態に係る喫煙ボックスの一例を示す図である。
【図２】本発明の実施形態に係る喫煙ボックスユニットを示す図であって、（ａ）は正面図、（ｂ）は側面図、（ｃ）は平面図、（ｄ）は底面図である。
【図３】図２（ａ）の喫煙ボックスユニットにおけるＡ−Ａ線の断面図である。
【図４】図３の喫煙ボックスユニットにおける取付板の構成を示す図である。
【図５】喫煙ボックスの天井からの空気流出を抑制する一例を模式的に説明する図である。
【図６】喫煙ボックスの天井からの空気流出を抑制する他の例を模式的に説明する図である。
【発明を実施するための形態】
【００２４】
以下、添付図面を参照して、本発明を実施するための形態（以下、実施形態）について詳細に説明する。以降の図においては、実施形態の説明の全体を通して同じ要素には同じ番号又は符号を付している。なお、非喫煙の公共スペースとしては遊技場を取り上げて説明するが、本実施形態に係る喫煙ボックスユニット１０ひいては喫煙ボックス１の設置場所は遊技場に限定されるものではなく、オフィスや各種施設などの公共スペースにも適用できるものである。
【００２５】
（喫煙ボックス）
図１に示すように、喫煙ボックス１は、喫煙ボックスユニット１０と、ケース２０とを備えている。ここでは、ケース２０として円弧状のものを図示しているが、後述するように、ケース２０は種々の態様のものとすることができる。
【００２６】
遊技場には、一般に、複数の遊技島が配置され、遊技島ごとに複数の遊技台が並んで設置されている。通常規模の遊技場では、この遊技島が施設内に列設されており、その周辺のスペースは人が歩ける程度のものしかない場合が多く、例えば遊技者が利用する自動販売機は壁際の狭いスペースに置かれているような状態である。このような規模の遊技場では、遊技場全体を喫煙者用と禁煙者用のスペースに区画することが困難なことから遊技台同士の間に分煙ボードを設けることが多いが、完全に分煙とすることは難しい。
【００２７】
そこで、図１に示すように、コンパクトな喫煙ボックス１を用意し、喫煙ボックスユニット１０の背面を遊技場の壁や遊技島の端部に取り付けることにより、遊技場全体のスペースを有効利用するとともに、遊技者が自席から遠く離れることなく安心して煙草を吸うことが可能となる。喫煙ボックス１は、複数の遊技者が入ることができるだけの大きさにしてもよいが、壁や遊技島の端部に１人用の大きさのものを複数個所設けることが、遊技場全体のスペースの有効利用し、遊技台の近い位置に設置するうえで好適である。以下、喫煙ボックスユニット１０とケース２０について、それぞれ説明する。
【００２８】
（喫煙ボックスユニット）
図２から図４を用いて、喫煙ボックスユニット１０について詳しく説明する。図２は、喫煙ボックスユニット１０の外観を示しており、図２（ａ）は正面図、図２（ｂ）は側面図、図２（ｃ）は平面図、（ｄ）は底面図である。図３は、図２（ａ）の喫煙ボックスユニット１０におけるＡ−Ａ線の断面を示している。
【００２９】
喫煙ボックスユニット１０は、図２（ａ）〜（ｄ）に示すように、枠体１１から構成されており、枠体１１の前面上部には喫煙ボックス１の内部の空気を吸い込む吸込み部１２が設けられ、枠体１１の天面には濾過された空気を外部へ吐き出す吐出し部１５が設けられている。そして、吸込み部１２の下方にあたる枠体１１の前面中部には灰皿１７が設けられている。
【００３０】
吸込み部１２としては、複数の吸込み口１２１が２列の段状に設けられた例を示している。この吸込み部１２の態様は図示したものに限られない。吸込み部１２の内部には、後述するように、吸込み部１２から流入した空気を濾過するフィルタ１３が設けられている（図３参照）。
【００３１】
吐出し部１５としては、吐出し口１５１が円形でメッシュ状に設けられた例を示している。この吐出し部１５の態様は図示したものに限られない。吐出し部１５の内部には、後述するように、フィルタ１３で濾過された空気を外部へ吐き出すファン１４が設けられている（図３参照）。
【００３２】
灰皿１７は、図２（ａ）に示すように、枠体１１の前面中央の凹部１７１の下辺に設けられており、灰皿１７の下方側には灰皿１７に捨てられた吸殻を回収する回収部１８が設けられている（図３参照）。また、これも後述するが、凹部１７１の背面側には喫煙ボックス１に入室してくる利用者を感知する人感センサ１６１が設けられており、その奥にはファン１４などを制御する制御部１６が内蔵されている（図３参照）。そして、制御部１６にはファン１４などを動作させる人感センサ１６１が位置している。
【００３３】
さらに、喫煙ボックスユニット１０は、モニタ１９を設けてもよい。モニタ１９は、図２では、喫煙ボックス１に入室してくる利用者の目線高さを想定した位置に設けられている。モニタ１９は、制御部１６の動作状況を表示し、入室した利用者に告知する。なお、モニタ１９は、遊技場の運営システムに接続し、入室中の利用者に遊技台の新台設置の情報や遊技場のイベントの広告などを提供するようにしてもよい。
【００３４】
また、ここでは図示していないが、喫煙ボックスユニット１０には、喫煙ボックス１に入室してきた利用者の便宜を考慮して、照明を設けてもよい。照明は、前述の人感センサ１６１によって点灯／消灯する。
【００３５】
次に、図３を用いて、喫煙ボックスユニット１０の内部構造について、さらに詳しく説明する。まず、吸込み口１２１から吸い込まれた空気（図中、黒色矢印）は、フィルタ１３で濾過される。ここで、フィルタ１３は、粗粒子を除去する第１フィルタ１３１と、煙草の匂いを除去する第２フィルタ１３２と、煙草の煙成分を除去する第３フィルタ１３３と、を含んでいる。第１フィルタ１３１は、空気中に含まれる径の荒い粒子を除去し、第２フィルタ１３２は、例えば活性炭などで構成されており、煙草の匂いを除去する。第３フィルタ１３３は、例えば高性能微粒子除去フィルタ(HEPA:  High Efficiency  Particulate  Air  Filter)などで構成されており、ガラス繊維によるさえぎり、慣性によるガラス繊維への接触、重力による沈降、ブラウン運動及び静電気力によって煙草の煙を構成する微粒子を除去する。フィルタ１３で濾過された空気（図中、白色矢印。破線矢印は後述する取付板１１１の合間を通過することを表示）は、ファン１４によって吸い出され、枠体１１の吐出し口１５１から外部へ吐き出される。
【００３６】
ファン１４は、枠体１１の前面中央の凹部１７１の背面側に内蔵された制御部１６によって制御される。凹部１７１には、前述のとおり、人感センサ１６１が設けられており、喫煙ボックス１に利用者が入ってくると、入室を人感センサ１６１で感知し、その信号を受けた制御部１６がファン１４をＯＮ状態にする。そして、利用者が離室したときには、ファン１４をＯＦＦ状態にする。制御部１６は、ファン１４をＯＮ／ＯＦＦの切り換えのみで制御してもよいし、ＯＮ状態を複数の段階に設定してファン回転数に強弱を付けるようにしてもよい。
【００３７】
人感センサ１６１としては、特に限られるものではなく既知のものを用いることができ、例えば赤外線、超音波、可視光などを単独で又は組み合わせて用いればよい。制御部１６は、人感センサ１６１からの信号に基づき、ファン１４に加えて、喫煙ボックス１の照明（不図示）を点灯／消灯させる。
【００３８】
凹部１７１の下辺に設けられている灰皿１７は、完全に揉み消されていない種火付きの煙草の吸殻が投入されても完全に消化できるように、密閉構造を備えている。具体的には、灰皿１７の蓋部１７２を空気遮断弁で構成し、利用者が蓋部１７２を開放して吸殻を投入した後、蓋部１７２は強制的に閉鎖し、空気を遮断して種火付きの吸殻を自動消火する。これによって、灰皿１７に溜まった吸殻から発煙や発火をしないようにすることができる。
【００３９】
灰皿１７の下方側には、灰皿１７に捨てられて消火された吸殻を回収する回収部１８が設けられている。灰皿１７に溜まった吸殻を回収部１８に移すには、灰皿１７に種々の態様を施して対応することができる。例えば、灰皿１７の底部１７３も空気遮断弁で構成しておき、必要なときに開放して吸殻を回収部１８に落下させるようにしてもよいし、また、灰皿１７を凹部１７１の下辺に取外し可能に構成しておき、必要なときに取り外して吸殻を回収部１８に落下させるようにしてもよい。
【００４０】
次に図４を用いて喫煙ボックスユニット１０の外部への取り付けについて説明する。喫煙ボックスユニット１０の枠体１１は、図２（ａ）に示したように、その背面に取付板１１１を有している。取付板１１１は、図４に示すように、遊技場の壁又は遊技島の端部に取り付けるための取付穴１１１ａ、及び／又は遊技台の膳板に取り付けるための取付穴１１１ｂを有している。取付板１１１には、ファン１４、制御部１６などを動作させる電源を取り込む取込み口１１１ｃが設けられている。
【００４１】
喫煙ボックスユニット１０を壁に取り付ける際には、取付板１１１の上部及び／又は下部に設けた取付穴１１１ａにボルト等を貫入させて取り付ける（なお、図２（ｂ）〜（ｄ）、図３では、上部の取付穴１１１ａにボルトを貫入した状態を図示している）。喫煙ボックスユニット１０を遊技島の端部に取り付ける際には、左右の取付穴１１１ａに対応する遊技島の幅が足りないような場合、遊技島の本体よりも幅を確保することができることから、遊技者側に延出している膳板に取付穴１１１ｂによって取り付ける。
【００４２】
喫煙ボックスユニット１０の枠体１１の底面には、図示は省略するが、遊技場の床面に立設するためのアンカーや、高さを調節できるアジャスターを設けてもよい。さらに、遊技場内での運搬の便宜を考慮して、ストッパー付きのキャスターを付加してもよい。
【００４３】
（ケース）
図１に戻り、ケース２０について、説明する。ケース２０は、喫煙ボックス１と外部を仕切るためのものであり、図１では、断面が円弧状のケース２０を示している。ケース２０の長手方向の一辺は、例えば、喫煙ボックスユニット１０の枠体１１の前面の一方の長辺に回動可能にヒンジ結合されている。ケース２０の高さは喫煙ボックスユニット１０よりも少し短く形成されており、利用者が喫煙をしたいとき、喫煙ボックスユニット１０の前に立ってケース２０を回動させ、自分の周りをケース２０によって囲うことにより外部との仕切りを行う。図１では、ケース２０が利用者の全身を覆う高さに形成されているが、上半身のみを覆うようにしてもよく、その場合でも分煙効果が得られる。
【００４４】
ケース２０は、上述したように全体を回動可能なものとするほかに、図１の状態でケース２０を固定し、側面の開放部２１から利用者が出入りするようにしてもよい。また、図１では、ケース２０を円弧状に形成しているが、その断面形状はそれに限らず、３面を有するコの字状などに形成してもよい。この場合、３面のいずれかの面を開閉可能な扉にすることで、利用者が出入りできるようにする。扉の種類は特に限定されることなく、開き戸、引き戸、折り戸など、遊技場での設置場所の余裕を勘案して選択することができる。
【００４５】
ここで、喫煙ボックス１は、前述した喫煙ボックスユニット１０と、天井２２を有するケース２０とにより、閉じた空間として構成することができるが、図１では、ケース２０の天井２２は全面が開放されている例を示している。これは、火災防止のための法定要件を考慮したものである。すなわち、遊技場などの建物の内部に閉じた空間の個室を設けると、その個室にも、火災防止の観点から建物と同様の法定要件を満たす必要が生じ、例えばスプリンクラーや火災感知器などを設けなければならない。そうすると、遊技場の建物の構造、設備についても工事が発生することから、通常規模の遊技場では喫煙ボックス１を設けることが困難となり易い。そこで、天井２２を開放することでこのような法定要件が免除され、喫煙ボックス１の設置を促進することが可能となる。免除される天井２２の開放率は７０％以上と法定されているので、７０％〜１００％の範囲で任意に設定すればよい。
【００４６】
このように天井２２を開放すると、喫煙ボックスユニット１０の吸込み部１２に吸い込まれなかった空気（煙草の煙）が喫煙ボックス１の上方から外部に流出することを抑制する必要がある。この処理に係る手段を図５及び図６を用いて説明する。なお、図５及び図６では喫煙ボックスユニット１０の詳細な図示は省略しているので、他の図（特に、図３）を適宜参照されたい。
【００４７】
まず、１つ目は、喫煙ボックス１内の空気がケース２０の天井２２から外部へ流出する前に捉えて濾過する手段である。例えば、図５に示すように、喫煙ボックスユニット１０の上部であってケース２０の天井２２の近傍に喫煙ボックス１の空気（図中、黒色矢印Ｓ１）を吸い込むための還流ファン３１を設けることにより、還流ファン３１で吸い込んだ内部の空気（図中、黒色矢印Ｓ２）をダクト３２を経由させて喫煙ボックスユニット１０の吸込み口１２の下方まで還流させる。そして、吸込み口１２の下方で放出された空気（図中、黒色矢印Ｓ３）は吸込み口１２で吸い込まれてフィルタ１３で濾過され、濾過された空気（図中、白色矢印Ｃ１）はファン１４によって吐出し部１５から外部へ放出される。ここで、還流ファン３１はケース２０の上部に設けてもよく、還流ファン３１からのダクト３２をケース３２に沿わせて還流した空気をケース２０の下部から放出させるようにしてもよい。
【００４８】
次に、２つ目は、喫煙ボックス１内の空気がケース２０の天井２２から外部へ流出することを遮断する手段である。例えば、図６に示すように、喫煙ボックスユニット１０の上部であってケース２０の天井２２の近傍に外部の空気（図中、白色矢印Ｃ２）を吸い込むための吹出しファン３３を設けることにより、吹出しファン３３で吸い込まれた外部の空気がケース２０の天井２２に相当する位置に吹き出されてエアカーテン（図中、白色矢印Ｃ３）を形成する。そして、エアカーテンによって外部への流出が阻止された（図中、黒色矢印Ｓ４，Ｓ５）喫煙ボックスユニット１０の内部の空気は吸込み口１２で吸い込まれて（図中、黒色矢印Ｓ６）フィルタ１３で濾過され、濾過された空気（図中、白色矢印Ｃ４）はファン１４によって吐出し部１５から外部へ放出される。
【００４９】
天井に加えて、ケース２０の側面において開放部２１が設けられている場合や、ケース２０の全体又はケース２０の一部（扉）が開閉される場合について、喫煙ボックスユニット１０の吸込み部１２に吸い込まれなかった空気（煙草の煙）が喫煙ボックス１の側方から外部に流出することを抑制する手段についても説明する（図示は省略する）。
【００５０】
これらの場合についても、図５や図６に示した手段を適用することができる。例えば、図５で示した還流ファン３１は、喫煙ボックスユニット１０の側部であってケース２０の開放部２１の近傍に設け、喫煙ボックス１の空気を横向きに吸い込んでダクト３２を経由させて喫煙ボックスユニット１０のフィルタ１３に還流させることができる。また、図６で示した吹出しファン３３は、喫煙ボックスユニット１０の側部であってケース２０の開放部２１の近傍に設け、吹出しファン３３で吸い込んだ外部の空気をケース２０の対向する縁に向かって横向きに吹き出してエアカーテンを形成することができる。なお、エアカーテンは、ケース２０の対向する縁にポールを設けておき、ポールにも吹出しファン３３から横向きに空気を吹き出してもよい。
【００５１】
なお、図１では、喫煙ボックス１の中に利用者が１人入室することを想定した大きさのケース２０を示しているが、遊技場での設置場所の余裕によっては、２人以上の利用者が同時に喫煙できるような大きさとしてもよい。
【００５２】
（実施形態の効果）
本発明の実施形態に係る喫煙ボックスユニット１０及びそれを用いた喫煙ボックス１は、上記したような構成としたことから、スペースに余裕がない遊技場であっても、壁際、遊技島の端部などの遊技台が設置されていないスペースを活用して簡単に取り付けられ、施設や設備に手を加える必要もなく、単独でコンパクトな喫煙のスペースを提供することができる。
【００５３】
以上、実施形態を用いて本発明を説明したが、本発明の技術的範囲は上記実施形態に記載の範囲に限定されないことは言うまでもない。上記実施形態に、多様な変更又は改良を加えることが可能であることが当業者に明らかである。またその様な変更又は改良を加えた形態も本発明の技術的範囲に含まれ得ることが、特許請求の範囲の記載から明らかである。
【符号の説明】
【００５４】
１…喫煙ボックス
１０…喫煙ボックスユニット
１１…枠体
１１１…取付板
１２…吸込み部
１２１…吸込み口
１３…フィルタ
１３１…第１フィルタ
１３２…第２フィルタ
１３３…第３フィルタ
１４…ファン
１５…吐出し部
１５１…吐出し口
１６…制御部
１６１…人感センサ
１７…灰皿
１７１…凹部（枠体の）
１７２…蓋部（灰皿の）
１７３…底部（灰皿の）
１８…回収部
１９…モニタ
２０…ケース
２１…開放部
２２…天井
３１…還流ファン
３２…ダクト
３３…吹出しファン
【図１】
2018141562.tif 000003
【図２】
2018141562.tif 000004
【図３】
2018141562.tif 000005
【図４】
2018141562.tif 000006
【図５】
2018141562.tif 000007
【図６】
2018141562.tif 000008